(57)【要約】【課題】ヒンジレスの利点を生かしながら、ソフトタッチの締め付けを可能としたヒンジレス眼鏡フレ−ムおよびその成形方法。【解決手段】ばね性に優れた金属材料の中実丸棒１２からスウェ−ジングによる延伸加工で直径の異なる丸棒１４を成形し、直径の相違によるばね性の相違を利用してヒンジレス眼鏡フレ−ム１０を成形している。つまり、エンドピ−ス相当部分１４ｂ、テンプル相当部分１４ｃはばね性を生じる直径に、ブロ−バ相当部１４ａはばね性を生じない直径とする、異径の丸棒１４からブロ−バ、エンドピ−ス、テンプルを一体成形している。そのため、ブロ−バ１４ａを変形させることなく、エンドピ−ス１４ｂ、テンプル１４ｃを変形でき、しかも、テンプルのテンションが広範囲で得られる。【選択図】          図１
2004246296.tif 000002
【特許請求の範囲】
【請求項１】
ばね性に優れた金属材料の中実丸棒をスウェ−ジングによる延伸加工で、ブロ−バ相当部分でばね性を生じない直径に、エンドピ−ス相当部分、テンプル相当部分でばね性を生じる直径となる、直径の異なる丸棒を成形し、この丸棒から一体成形されたエンドピ−ス、ブロ−バ、テンプルを備えたヒンジレス眼鏡フレ−ム。
【請求項２】
ばね性に優れた金属材料の中実丸棒をスウェ−ジングによる延伸加工で、ブロ−バ相当部分でばね性を生じない直径に、エンドピ−ス相当部分、テンプル相当部分でばね性を生じる直径となる、直径の異なる丸棒を成形し、この丸棒に曲げ加工、プレス加工を加えてなる一体成形のエンドピ−ス、ブロ−バ、テンプルを備えたヒンジレス眼鏡フレ−ム。
【請求項３】
ばね性に優れた金属材料の中実丸棒をスウェ−ジングによる延伸加工で、ブロ−バ相当部分でばね性を生じない直径に、エンドピ−ス相当部分、テンプル相当部分でばね性を生じる直径となる、直径の異なる丸棒を成形し、この丸棒からブロ−バ、エンドピ−ス、テンプルの一体成形されたヒンジレス眼鏡フレ−ムを成形するヒンジレス眼鏡フレ−ムの成形方法。
【請求項４】
直径の異なる丸棒において、エンドピ−ス相当部分、テンプル相当部分は、テンプル相当部分の末端を除いて、ほぼ同じ直径に成形されている請求項３記載のヒンジレス眼鏡フレ−ム。
【請求項５】
直径の異なる丸棒は、テンプル相当部分の末端でばね性が生じない直径に成形されている請求項３または４記載のヒンジレス眼鏡フレ−ム。
【請求項６】
ばね性に優れた金属材料がβ系チタン合金である請求項３〜５記載のヒンジレス眼鏡フレ−ムの成形方法。
【発明の詳細な説明】
【０００１】
【発明の属する技術分野】
この発明は、ばね性に優れた金属材料からブロ−バ、エンドピ−ス、テンプルを一体に成形してなるヒンジレス眼鏡フレ−ムおよびその成形方法に関する。
【０００２】
【従来の技術】
眼鏡フレ−ムとして、レンズ回りの縁（リム）の全て、またはその下半部を除いたリムレス眼鏡フレ−ムの人気が高い。リムレス眼鏡フレ−ムでは、除去したリムに相当する重量だけ、軽量化できるとともに、広い視界が確保できる。また、透明感のある明るいイメ−ジが生じて、デザイン的にも優れた眼鏡フレ−ムが得られる。
【０００３】
リムレス眼鏡フレ−ムにおいては、たとえば、特開平７−１８１４３２号公報、特開平７−３０１７７０号公報に開示するように、左右のレンズを中央においてブリッジで連結するとともに、エンドピ−ス（「智」または「ヨロイ」ともいう）と称するＬ字部材の一端にレンズがビス止めされ、他端に蝶番（ヒンジ）を介してテンプル（つる）が取付けられて、パット付のパッドア−ムがブリッジにロ−付けされている。
【０００４】
レンズに固定されたエンドピ−スにテンプルは蝶番を介して連結されているため、テンプルをレンズ側に折り込むことができる。そして、テンプルをレンズ側に折り込んでコンパクトにしてから放置したり、ケ−スに収納して持ち運んだりしている。
【０００５】
【発明が解決しようとする課題】
蝶番を設けることによって、テンプルの折り込みが可能となり、リムレス眼鏡フレ−ムにおいても、蝶番の存在は当然のものとして考えられている。眼鏡、つまりは、眼鏡フレ−ムを購入する場合、使用者に合わせたフィッティングと称する調整がなされる。
【０００６】
強くも弱くもない適度のテンション（締付力）のもとで、ほお骨上に眼鏡フレ−ムをソフトなタッチで保持することが望まれる。そのため、眼鏡フレ−ムの購入時には、使用者の顔のサイズ（横幅、経幅）に応じて、エンドピ−スやテンプルを外側に押し広げたり、内側に押し込んだり（縮めたり）して、フィッティング（調整）がなされている。
【０００７】
ここで、エンドピ−スはレンズを固定するものであり剛性が必要であるのに対して、テンプルはほお骨上に眼鏡フレ−ムを保持する柔軟性を必要とし、別部材、たとえば、テンプルは柔軟性を持つ金属材料から、エンドピ−スは剛性を持つ金属材料から成形されている。
【０００８】
そして、エンドピ−スを押し広げたり、押し込むフィッティングは工具を使用しないと難しいのに対して、テンプルに対するフィッティングは手で容易に行える。そのため、多くの場合、フィッティングはテンプルを押し広げたり、押し込んだりして、テンプルに対して集中的になされている。しかし、テンプルに集中的になされるフィッティングによって、テンプルが局所的に大きく変形し、眼鏡フレ−ムのフォルムが崩れるおそれがある。
【０００９】
ここで、テンプルを押し広げたり、押し込むような力がテンプルに加えられると、この力はエンドピ−スとテンプルとを連結する蝶番にも作用する。フィッティングは、眼鏡フレ−ムの購入時だけでなく、購入後の使用時においてもしばしばなされ、テンプルに加えた力が蝶番にその都度作用する。蝶番はそれぞれの連結端をビスで枢支する構成となっており、テンプルの押し広げ、押し込みを繰返すと、蝶番のねじが緩んでガタが生じ易く、ガタが生じるとテンプルのテンションが低下して、再度のフィッティングが必要となる。そして、眼鏡フレ−ムの不良、修理は蝶番に集中しており、蝶番は構造上最大のウィ−クポイントとなっている。
【００１０】
蝶番を除去した眼鏡フレ−ムとして、たとえば、特開平１０−３９２６１号公報に開示するものがある。ここでは、ニッケル・チタン系超弾性合金線材の丸棒をスウェージング加工して長さ方向で径の異なる異径の丸棒を成形し、この異径の丸棒にプレス加工を加え、エンドピ−ス、テンプルの連結部に薄板状部分（薄板部）をエンドピ−ス、テンプルと一体に成形してヒンジレスの眼鏡フレ−ムを構成している。
【００１１】
エンドピ−ス、テンプルの連結部を湾曲可能な薄板部（薄板状部分）とすることにより、テンプルにテンションを生じるばね性が確保され、この薄板部のばね性を利用して、テンプルの折り込みを可能としている。そして、このヒンジレス眼鏡フレ−ムでは、蝶番がないため蝶番のねじの緩みに起因するガタの発生はない。
【００１２】
ここで、テンプルと一体のエンドピ−スは、レンズのリムにロウ付けされたり、リムレスのレンズに直接ねじ止めされて、レンズに対して固定される。しかし、エンドピ−スをレンズのリムにロウ付けする構成では、テンプルの変形（押し広げ、押し込み、折り込み）の際、テンプルに加わる力が、エンドピ−スとレンズのリムとの連結部（ロウ付け部）に繰り返し作用して、ロウ付け部の破損するおそれがある。
【００１３】
エンドピ−スをリムレスのレンズに直接ねじ止めする構成では、テンプルの変形時にテンプルに加えられる力が、エンドピ−スを介してレンズに作用してレンズを破壊するおそれがある。さらに、この構成では、左右のレンズはブリッジに固定されているにすぎないため、テンプルに力を加えるとこの力がレンズに直接伝達されてレンズをブリッジの回りで動かして、目とレンズとの距離がずれたり、レンズに対する光の入射角に変化を生じるなどのレンズ面の歪みが生じて、フィッティングのやり直しが必要となる。
【００１４】
特開２００１−１９４６２９号公報のリムレス眼鏡フレ−ムでは、テンプルをブロ−バに連結し、ブロ−バにロ−付けしたブリッジにレンズを固定している。この構成では、テンプルに加えられた力はブロ−バに作用し、レンズに伝達されないため、ブリッジの回りでのレンズの動きが防止され、レンズ面の歪みが生じない。また、テンプルに隣接する位置で、ブロ−バにＵ字状の屈曲部が形成され、テンプルからブロ−バに作用、伝達される力をこの屈曲部で吸収してブロ−バの変形を防止するように構成されている。しかしながら、このリムレス眼鏡フレ−ムでは従来と同様に蝶番が使用されており、蝶番のねじの緩みによってガタが発生し、蝶番に固有な問題点は解消されていない。
【００１５】
ヒンジレス眼鏡フレ−ムとして、米国特許第５３６７３４４号公報に開示するものがある。この米国特許では、テンプル、エンドピ−スだけでなくブロ−バも含めてばね線（スプリングワイヤ）で一体成形している。ここでは、その成形方法について述べていないが、ばね線として一定の直径のものを使用しているものと思われる。そして、エンドピ−スとなる部分を（プレス加工によって）板ばね状の平坦部に成形してばね性を確保してテンプルの折り込みを可能としている。もちろん、ヒンジレスであるため、蝶番のねじの緩みに起因するガタの発生はない。
【００１６】
ここでは、テンプル、エンドピ−ス、ブロ−バが一体成形されており、（特開平１０−３９２６１号公報における）エンドピ−スをレンズのリムにロウ付けする構成が採用されず、破損しやすいロウ付け部がない。もちろん、蝶番もない。そのため、不良、修理の少ないヒンジレス眼鏡フレ−ムが得られる。
【００１７】
眼鏡フレ−ムを一体成形したヒンジレスタイプとして、ニッケル・チタン合金などのばね性に優れた金属材料をプレス加工してテンプル、ブリッジ、レンズ枠を一体成形したものが、実願平４−７６６６１号（実開平６−４０９２１号）のマイクロフィルムに開示されている。この構成では、全体的に形状記憶させているが、ヒンジに相当する部分を形状記憶させないことによって、ばね性を確保してテンプルの折り込みを可能としている。
【００１８】
上記特開平１０−３９２６１号公報、米国特許第５３６７３４４号公報、実願平４−７６６６１号（実開平６−４０９２１号）のマイクロフィルムに開示するヒンジレス眼鏡フレ−ムのいずれにおいても、そのヒンジ相当部分であるエンドピ−スのばね性によってテンプルにテンションを生じている。しかしながら、ヒンジ相当部分であるエンドピ−スのばね性のもとでテンプルにテンションが生じ、テンプルはばね性を持たないため、エンドピ−スのばね性によるテンションのみでテンプルがほお骨上に保持されているにすぎない。
【００１９】
このようにテンプルのテンションがヒンジ相当部分であるエンドピ−スのばね性のみで生じる構成では、テンプルのテンションがエンドピ−スで集中的に発生し、ほお骨をテンプルが強く締め付け、ソフトタッチでの締め付けを困難としている。そして、ほお骨をテンプルが強く締め付ることにより、ヒンジレス眼鏡フレ−ムは使用者に圧迫感、不快感を与えて、長時間の着用を難しくしている。
【００２０】
この発明の目的は、ヒンジレスの利点を生かしながら、ソフトタッチの締め付けを可能としたヒンジレス眼鏡フレ−ムおよびその成形方法の提供することにある。
【００２１】
【課題を解決するための手段】
この発明では、ばね性に優れた金属材料の中実丸棒をスウェ−ジングによる延伸加工で、直径の異なる丸棒を成形し、直径の相違によるばね性の相違を利用してヒンジレス眼鏡フレ−ムを成形することとしている。
【００２２】
スウェ−ジングによる延伸加工によれば、丸棒の長さ方向で直径の相違する部分を任意に成形でき、ブロ−バ相当部分でばね性を生じない直径に、エンドピ−ス相当部分、テンプル相当部分でばね性を生じる直径となる、直径の異なる丸棒が成形できる。そして、この異径の丸棒からエンドピ−ス、ブロ−バ、テンプルを一体成形している。
【００２３】
この構成では、エンドピ−スはもちろんテンプルにおいても、しかもテンプルの全長においてばね性が生じ、ばね性が広範囲で得られる。そのため、エンドピ−スのばね性およびテンプル自体のばね性によるテンションで、テンプルはその全長においてほお骨に均一に接し、テンプルの締め付けがソフトタッチでなされる。
【００２４】
【発明の実施の形態】
以下、図面を参照しながらこの発明の実施の形態について詳細に説明する。
【００２５】
図１は、この発明に係るヒンジレス眼鏡フレ−ム１０の成形方法の工程を示し、それぞれの工程において、ヒンジレス眼鏡フレ−ムは正面から図示されている。まず、ばね性に優れた金属材料の中実丸棒、たとえばチタン合金の中実丸棒１２が、ＣＮＣスウェ−ジングマシンによるスウェ−ジングで延伸加工されて直径の変化する丸棒（異径の丸棒）１４が成形される（図１（Ａ）（Ｂ）参照）。たとえば、スウェ−ジングによる延伸加工で、中実丸棒１２は５倍程度の長さに延伸される。
【００２６】
スウェ−ジングによる延伸加工によって長手方向に断面形状の変化した異径の丸棒１４においては、その直径に応じたばね性が得られる。つまり、直径が小さいほど大きなばね性が得られる。そして、スウェ−ジングによる延伸加工によれば、長さ方向でばね性の相違する部分が任意に得られ、種々のばね性を持つ丸棒１４が容易に成形される。
【００２７】
スウェ−ジングによる延伸加工によってその長手方向で直径の異なる丸棒１４を成形し、この異径の丸棒を基材として、図１（Ｅ）に示すようなヒンジレス眼鏡フレ−ム１０が成形される。図１（Ｂ）からわかるように、この基材（異径の丸棒）１４において、エンドピ−ス（エンドピ−ス相当部分）１４ｂ、テンプル（テンプル相当部分）１４ｃはばね性を生じる直径（小径）に成形され、中央部のブロ−バ（ブロ−バ相当部分）１４ａはばね性を生じない直径（大径）に成形されている。また、ブロ−バ１４ａにおいて、ブリッジとなる中央部分１４ａ’、および、エンドピ−ス１４ｂに隣接する端部分１４ａ”が、他の部分に対して大径となっている。
【００２８】
エンドピ−ス１４ｂ、テンプル１４ｃは、ばね性を生じる直径にいずれも成形され、エンドピ−ス、テンプルに相当する部分で異径の丸棒１４はほぼ同じ直径となっている。また、テンプル１４ｃの末端はばね性を生じない大径となっている。
【００２９】
丸棒１４に曲げ加工、プレス加工が加えられ、たとえば、５回の曲げ加工と５回のプレス加工を経て図１（ｃ）に示す形状に丸棒は加工される。
【００３０】
図１（ｃ）に示す形状における断面形状を図２に示す。なお、図２（Ａ）は図１（ｃ）と同じ図（正面図）であり、図２（Ｂ）は平面図を示し、ブロ−バの中央部分（ブリッジ）１４’の線Ａ−Ａに沿った断面を図２（Ｃ−ａ）に、ブロ−バの端部分１４ａ”の線Ｂ−Ｂに沿った断面を図２（Ｃ−ｂ）に、テンプル１４ｃの中間部の線Ｃ−Ｃに沿った断面を図２（Ｃ−ｃ）に、テンプル末端の線Ｄ−Ｄに沿った断面を図２（Ｃ−ｄ）に示す。なお、図２（Ｃ−ａ）〜図２（Ｃ−ｄ）においては５倍に拡大されている。ここで、図２（Ｃ−ａ）〜図２（Ｃ−ｄ）の断面形状は一例であり、これに限定されないことはいうまでもない。
【００３１】
図２（Ｃ−ａ）〜図２（Ｃ−ｄ）からわかるように、エンドピ−ス１４ｂ、および、末端を除くテンプル１４ｃにはプレス加工が加えられず、なおも円形断面が維持されている。これに対して、ブロ−バ１４ａにはプレス加工が施され、中央部分（ブリッジ）１４ａ’は略半円形断面に、端部分１４ａ”は水平方向に伸びた矩形断面に変形している。また、テンプル末端にもプレス加工が施されて、縦長の略楕円形に変形されている。
【００３２】
図１に戻ってさらに説明すると、図１（Ｃ）の形状に、さらに２回の上下方向の曲げ加工が加えられて図１（Ｄ）に示す形状に変形され、仕上げの磨き加工が施される。そして、前後方向の曲げ加工が加えられて、図１（Ｅ）、図３にその最終形状を示す眼鏡フレ−ム１０が成形される。図１（Ｅ）、図からよくわかるように、この眼鏡フレ−ム１０はヒンジレスであるとともにリムレスとなる。
【００３３】
もちろん、最終的には、図４（Ａ）（Ｂ）に示すように、パッドア−ム１６がブリッジ１４ａ’にロウ付けされ、さらに、ノ−ズパッド１７がパッドア−ムに取付けられて、眼鏡フレ−ム１０が成形される。ここで、ノ−ズパッド１７をパッドア−ム１６に予め取付けてから、パッドア−ムをブリッジ１４ａ’にロウ付けしてもよい。そして、たとえば、パッドア−ム１６から伸びた位置決めピン（図示しない）がレンズ端面の位置決め孔（図示しない）に係合されるとともに、レンズ１８がパッドア−ムにビス止めされて、最終製品としての（ヒンジレス・リムレスの）眼鏡２０が得られる。
【００３４】
この発明によれば、ブロ−バ１４ａ、エンドピ−ス１４ｂ、テンプル１４ｃは、ばね性に優れた金属材料をスウェ−ジングして得られた異径の丸棒１４のうち、ブロ−バはばね性を生じない直径の部分から、エンドピ−ス、テンプルはばね性を生じる直径の部分から成形されている。そのため、ブロ−バ１４ａではばね性が発生せず、エンドピ−ス１４ｂ、テンプル１４ｃにおいてのみばね性が発生する。
【００３５】
ブロ−バ１４ａではばね性が発生せず、エンドピ−ス１４ｂ、テンプル１４ｃにおいてのみばね性が発生するため、ブロ−バを変形させることなく、エンドピ−ス、テンプルがばね性のもとで変形できる。そして、エンドピ−ス１４ｂはもちろんテンプル１４ｃにおいても、しかもテンプルの全長において、ばね性が確保されて、テンプルのテンションが広範囲で得られる。そのため、テンプルはそのテンションのもとでほお骨に均一に接し、テンプルの締め付けがソフトタッチでなされる。したがって、使用者に圧迫感、不快感を与えることはなく、眼鏡２０の長時間の着用が可能となる。
【００３６】
なお、耳に係合されるテンプル１４ｃの末端では、ばね性を生じさせる必要がなく、逆にばね性を持つと、変形して耳から外れやすい。そのため、テンプル１４ｃの末端は図１（Ｂ）に示すように、異径の丸棒１４の段階でばね性を生じない直径に成形されて、変形が防止されている。そして、耳に係合しやすいように、図２（Ｃ−ｄ）に示すように、扁平な形状にプレス加工されている。
【００３７】
実施例では、テンプル１４ｃの末端を除いて、エンドピ−ス１４ｂ、テンプル１４ｃに相当する部分で異径の丸棒１４はほぼ同じ直径とされ、ほぼ同一の直径のもとでエンドピ−ス、テンプルが成形されている。そのため、ほぼ同一のばね性のもとで、エンドピ−ス、テンプルは円滑に変形し、均一でソフトなテンションをテンプルに生じさせることができる。
【００３８】
眼鏡フレ−ム１０は、ブロ−バ１４ａ、エンドピ−ス１４ｂ、テンプル１４ｃを異径の丸棒１４から一体成形したヒンジレス眼鏡フレ−ムであり、蝶番（ヒンジ）はないから、蝶番のねじの緩みなどの蝶番に起因する不良、修理と無関係となる。また、エンドピ−スのロウ付けもなく、ロウ付けの破損に悩まされることもない。
【００３９】
ブロ−バ１４ａはばね性を持たないため、ブロ−バを変形させることなく、エンドピ−ス１４ｂ、テンプル１４ｃを変形させることができ、テンプルに加えた力がブロ−バ１４ａやレンズに伝達されてレンズの歪みを生じることもない。そのため、眼鏡フレ−ム１０のフィッティングが容易、正確に行える。
【００４０】
さらに、エンドピ−ス１４ｂだけでなく、テンプル１４ｃにもばね性があり、テンプルは広い範囲で円滑に変形できる。そのため、フィッティングにおいて、眼鏡フレ−ム１０のフォルムを崩すような局所的な大きな変形をテンプルに生じさせることもない。
【００４１】
ブロ−バ１４ａ、エンドピ−ス１４ｂ、テンプル１４ｃを一体成形しているため、ノ−ズパッド付パッドア−ム１６をブロ−バのブリッジ１４ａ’に設けるだけで、または、パッドア−ムをロウ付けしてからノ−ズパッドをパッドア−ムに取付けるだけでよく、１または２という僅かな後工程で眼鏡フレ−ム１０が成形できる。
【００４２】
ばね性に優れた金属材料として、ニッケル・チタン合金、ベリリウム合金、ニッケルを主成分とするハイニッケル合金、ステンレス鋼、銅合金などを使用できる。ばね性に優れた種々の金属材料で試みたところ、ＢＳチタン（バイオソフトチタン）と称する高強度超弾性チタン・ジルコニウム合金（β系チタン合金）の中実丸棒をスウェ−ジングして延伸加工した異径の丸棒１４から成形すると、最適なばね性を持つ軽量の眼鏡フレ−ム１０が得られた
【００４３】
【発明の効果】
請求項１記載の発明によれば、ブロ−バ、エンドピ−ス、テンプルは、ばね性に優れた金属材料をスウェ−ジングで延伸加工された中実丸棒から、エンドピ−ス、テンプルがばね性を持ち、ブロ−バがばね性を持たないように、一体成形されているため、ブロ−バを変形させることなく、エンドピ−ス、テンプルを変形させることができる。そして、レンズの歪みを生じることなく、眼鏡フレ−ムのフィッティングが容易、正確に行える。
【００４４】
また、エンドピ−スはもちろんテンプルにおいてもばね性が確保され、テンプルのテンションが広範囲で得られるため、テンプルはそのテンションのもとでその全長においてほお骨に均一に接し、テンプルの締め付けがソフトタッチでなされる。
【００４５】
眼鏡フレ−ムは、ブロ−バ、エンドピ−ス、テンプルを異径の丸棒から一体成形したヒンジレス眼鏡フレ−ムであるから、蝶番（ヒンジ）のねじの緩みなどの蝶番に起因する不良、修理はない。また、破損しやすいロウ付けもなく、ロウ付けの破損に悩まされることもない。
【００４６】
請求項２記載の発明によれば、請求項１記載の発明の効果に加えて、曲げ加工、プレス加工によって所望の最終形状のヒンジレス眼鏡フレ−ムが得られる。
【００４７】
請求項３記載の発明によれば、ブロ−バを変形させることなく、エンドピ−ス、テンプルを変形させて、テンプルの締め付けがソフトタッチでなされるヒンジレス眼鏡フレ−ムが成形できる。また、ブロ−バ、エンドピ−ス、テンプルを一体成形しているため、ノ−ズパッド付パッドア−ムをブロ−バのブリッジに設けるだけで、または、パッドア−ムをロウ付けしてからノ−ズパッドをパッドア−ムに取付けるだけでよく、１または２という僅かな後工程のみで、ヒンジレス眼鏡フレ−ムが成形できる。
【００４８】
請求項４記載の発明によれば、請求項３記載の発明と同様の効果に加えて、エンドピ−ス、テンプルのばね性がほぼ同一であるため、エンドピ−ス、テンプルは円滑に変形し、均一でソフトなテンションをテンプルに生じさせるヒンジレス眼鏡フレ−ムが成形できる。
【００４９】
請求項５記載の発明によれば、先行する請求項記載の発明の効果に加えて、テンプル末端が変形せず、耳から外れ難いヒンジレス眼鏡フレ−ムが成形できる。
【００５０】
請求項６記載の発明によれば、先行する請求項記載の発明の効果に加えて、最適なばね性を持つ軽量の眼鏡フレ−ムが成形できる。
【図面の簡単な説明】
【図１】この発明に係るヒンジレス眼鏡フレ−ムを成形する工程図である。
【図２】成形工程の途中を示す図であり、（Ａ）は図１の（Ｃ）に等しい正面図、（Ｂ）は平面図、（Ｃ−ａ）〜（Ｃ−ｄ）は（Ａ）の線Ａ−Ａ、Ｂ−Ｂ、Ｃ−Ｃ、Ｄ−Ｄに沿った拡大断面図である。
【図３】一体成形の完了したヒンジレス眼鏡フレ−ムの平面図である。
【図４】（Ａ）はパッドア−ムがブリッジにロウ付けされたヒンジレス眼鏡フレ−ムの平面図、（Ｂ）はノ−ズパッドをパッドア−ムに取付け、レンズをブリッジにビス止めしたヒンジレス眼鏡の平面図である。
【符号の説明】
１０      ヒンジレス眼鏡フレ−ム
１２      ばね性に優れた金属材料の中実丸棒
１４      スウェ−ジングで延伸加工された異径の丸棒
１４ａ    ブロ−バ（ブロ−バ相当部分）
１４ａ’  ブロ−バの中央部分（ブリッジ）
１４ａ”  ブロ−バの端部分
１４ｂ    エンドピ−ス（エンドピ−ス相当部分）
１４ｃ    テンプル（テンプル相当部分）
１６      パッドア−ム
１７      ノ−ズパッド
１８      レンズ
２０      ヒンジレス眼鏡
【図１】
2004246296.tif 000003
【図２】
2004246296.tif 000004
【図３】
2004246296.tif 000005
【図４】
2004246296.tif 000006